(57)【要約】【課題】水晶体表面における照明光の反射によるハレーションやゴーストの発生を抑制して、良好な網膜像観察を行うことができる眼底観察装置を提供すること。【解決手段】先端本体２が茶色系の色調の半透明部材により形成されて、照明光を伝送するライトガイドファイバ８の射出端面８ａが、先端本体２の後端側から先端本体２に照明光を入射させる状態に配置され、先端本体２内を通過することにより茶色系の色調になった照明光が先端本体２の先端面２ａから放射される。【選択図】    図１
2013202100.tif 000002
【特許請求の範囲】
【請求項１】
前方に向けて配置された対物光学系とその対物光学系を通して投影される網膜像を撮像するための撮像装置とを一体的に保持する先端本体が、操作者によって保持される保持管の先端に取り付けられた眼底観察装置であって、
上記先端本体が茶色系の色調の半透明部材により形成されて、照明光を伝送するライトガイドファイバの射出端面が、上記先端本体の後端側から上記先端本体に照明光を入射させる状態に配置され、上記先端本体内を通過することにより茶色系の色調になった照明光が上記先端本体の先端面から放射されることを特徴とする眼底観察装置。
【請求項２】
上記先端本体が略円筒形状に形成されている請求項１記載の眼底観察装置。
【請求項３】
上記ライトガイドファイバの射出端面が複数に分割配置されている請求項１又は２記載の眼底観察装置。
【請求項４】
上記先端本体の外周面に遮光部材が被覆配置されている請求項１ないし３のいずれかの項に記載の眼底観察装置。
【請求項５】
上記先端本体の先端面が平面状に形成されている請求項１ないし４のいずれかの項に記載の眼底観察装置。
【請求項６】
上記先端本体の先端面が眼球の角膜表面に沿う凹面状に形成されている請求項１ないし４のいずれかの項に記載の眼底観察装置。
【発明の詳細な説明】
【技術分野】
【０００１】
この発明は、眼球の表面側から網膜の状態を観察するために用いられる眼底観察装置に関する。
【背景技術】
【０００２】
眼底観察装置においては、被検者の目に向けられる対物光学系が前方に向けて先端本体に配置されているが、目の奥に位置する被写体である網膜を外部からの光で照明してやらないと、その観察をすることはできない。そこで、眼底観察装置においては、対物光学系の周囲のスペースから、水晶体を通して眼球内に照明光を送り込むようになっている（例えば、特許文献１）。
【先行技術文献】
【特許文献】
【０００３】
【特許文献１】米国特許公開２００８／０１６５３２２Ａ１
【発明の概要】
【発明が解決しようとする課題】
【０００４】
本発明は、特許文献１に記載された発明よりも小型でハンディな眼底観察装置を提供しようとするものであるが、光学的には装置の大小にかかわらず同様の問題が生じる。
即ち、眼底観察装置においては、対物光学系の周囲のスペースから水晶体に向けて照射された照明光が水晶体の表面で反射することにより、ハレーションや光源のゴースト像が発生して観察の妨げになっていた。
【０００５】
本発明はそのような問題を解決するために、水晶体表面における照明光の反射によるハレーションやゴーストの発生を抑制して、良好な網膜像観察を行うことができる眼底観察装置を提供することを目的とする。
【課題を解決するための手段】
【０００６】
上記の目的を達成するため、本発明の眼底観察装置は、前方に向けて配置された対物光学系とその対物光学系を通して投影される網膜像を撮像するための撮像装置とを一体的に保持する先端本体が、操作者によって保持される保持管の先端に取り付けられた眼底観察装置であって、先端本体が茶色系の色調の半透明部材により形成されて、照明光を伝送するライトガイドファイバの射出端面が、先端本体の後端側から先端本体に照明光を入射させる状態に配置され、先端本体内を通過することにより茶色系の色調になった照明光が先端本体の先端面から放射されるものである。
【０００７】
なお、先端本体が略円筒形状に形成されていてもよく、ライトガイドファイバの射出端面が複数に分割配置されていてもよい。また、先端本体の外周面に遮光部材が被覆配置されていてもよい。
【０００８】
そして、先端本体の先端面が平面状に形成されていてもよく、或いは、先端本体の先端面が眼球の角膜表面に沿う凹面状に形成されていてもよい。
【発明の効果】
【０００９】
本発明によれば、先端本体の先端面の対物光学系の周囲のスペースから水晶体に向けて放射された照明光が、茶系の色がついたぎらぎら感のないまろやかなものになるので、照明光が水晶体で反射しても、ハレーションや光源のゴースト像が従来に比べて格段に目立たず、水晶体を透過した照明光により照射された網膜を良好に観察することができる。
【図面の簡単な説明】
【００１０】
【図１】本発明の第１の実施例に係る眼底観察装置の側面断面図である。
【図２】本発明の第１の実施例に係る眼底観察装置の先端本体の正面図である。
【図３】本発明の第１の実施例に係る眼底観察装置の使用状態を示す略示図である。
【図４】本発明の第２の実施例に係る眼底観察装置の使用状態を示す略示図である。
【発明を実施するための形態】
【００１１】
以下、図面を参照して本発明の第１の実施例を説明する。
図１は眼底観察装置の先端部分の側面断面図であり、図２は、その眼底観察装置の先端面の正面図（図１における底面図）である。
【００１２】
被写体の観察像を取り込むための観察窓１が、先端本体２の先端面２ａの中央位置に前方（図１において下方）に向けて配置されている。先端本体２の先端面２ａは軸線に対して垂直な平面状に形成されている。
【００１３】
先端本体２の観察窓１の内側領域には、被写体の像を結像させるための対物光学系３と、対物光学系３によって投影された観察像（即ち、網膜像）を撮像するための撮像装置４等が配置されている。観察窓１は、前方に向けて配置された対物光学系３の第１レンズ部分によって構成されている。撮像装置４には、固定撮像素子やカラーフィルタ等（図示せず）が含まれている。
【００１４】
対物光学系３と撮像装置４は、先端本体２の軸線位置に形成された貫通孔５内に例えば接着等により一体的に保持されており、信号ケーブル６が撮像装置４から後方に延出配置されている。
【００１５】
貫通孔５の内周面には例えば２層のコーテイングが施されていて、表面側は黒色無反射面、裏側の先端本体２の壁面側の面は銀鏡反射面になっている。ただし、本発明はそれに限定されるものではない。また、貫通孔５が必ずしも先端本体２の軸線位置に形成されていなくても差し支えない。
【００１６】
７は、操作者によって保持される細長円筒形状の保持管であり、プラスチック製或いは金属製の硬性管により、又は人の手で曲げられてその状態を維持することができる半硬性管等により形成されている。保持管７の外径は例えば１〜２ｃｍ程度、長さは例えば５〜１５ｃｍ程度であり、小型で非常にハンディに取り扱うことができる。
【００１７】
この実施例の先端本体２は、断面形状がドーナッツ状の略円筒形状に形成されている。そして、先端本体２の後半部分の外周面が、保持管７の先端内に嵌挿されてそこに接着等により固定されている。
【００１８】
保持管７内には、その後方から挿通配置された照明用のライトガイドファイババンドル８の射出端面８ａが、先端本体２の後端面２ｂに全面で当接する状態に配置されている。ただし、ライトガイドファイババンドル８の射出端面８ａが先端本体２の後端面２ｂに対し隙間をあけて配置されていても差し支えない。
【００１９】
或いは、先端本体２の後端面２ｂに座繰り状の凹み等が形成されていて、その凹み内にライトガイドファイババンドル８の射出端面８ａが差し込まれているような構成を採ってもよい。要は、ライトガイドファイババンドル８の射出端面８ａが、先端本体２に対してその後端２ｂ側から照明光を入射させる状態に配置されていればよい。
【００２０】
そのような先端本体２は、例えば薄い琥珀色又は飴色等と表現されるような茶色系の色調の半透明部材により形成されている。先端本体２を形成する材料としては例えば茶色系に着色されたアクリル樹脂又はポリカーボネート樹脂等を用いることができる。
【００２１】
その結果、ライトガイドファイババンドル８の射出端面８ａから射出された白色光に近い照明光が、茶系の色に形成されている先端本体２を通過することにより茶色系の色調に変わって、先端本体２の先端面２ａから、茶系の色がついたぎらぎら感のないまろやかな照明光が放射される。
【００２２】
図２に示されるように、この実施例においては、ライトガイドファイババンドル８の射出端面８ａが４つに分割されて先端本体２の軸線周りの略９０°間隔に配置されている。ただし、ライトガイドファイババンドル８の射出端面８ａの配置が４分割以外であっても差し支えなく、ライトガイドファイババンドル８の射出端面８ａを一つながりのリング状等に形成しても差し支えない。
【００２３】
そのようなライトガイドファイババンドル８の射出端面８ａから射出された照明光は、先端本体２内を通過して先端本体２の先端面２ａから放射されるが、その途中で先端本体２内から側方に抜け出てしまわないように、先端本体２の先側半部の外周面全面に遮光筒体９が被覆固着されている。遮光筒体９の内周面は照明光を反射するように、例えば銀鏡反射面になっている。
【００２４】
図３は、上述の実施例の眼底観察装置の使用状態を略示しており、観察窓１を角膜表面５１に当接させると、先端本体２の先端面２ａの観察窓１の周囲のスペース（即ち、対物光学系３の周囲のスペース）から水晶体５２に向けて照明光が放射される。
【００２５】
そして、その照明光は、前述のように茶系の色がついたぎらぎら感のないまろやかな光になっているので、それが水晶体５２で反射しても、ハレーションや、光源であるライトガイドファイババンドル８の射出端面８ａのゴースト像等が従来に比べて格段に目立たず、水晶体５２を透過した照明光で照射された網膜５３を良好に観察することができる。そして、そのような作用効果を得るために、先端本体２を何ら大きく構成する必要がなく、また特別な部品も必要としない。
【００２６】
なお、本発明は上記実施例に限定されるものではなく、例えば、図４に示される第２の実施例のように、先端本体２の先端面２ａを平均的な人の角膜表面５１に略沿うような凹面状に形成すれば、角膜表面５１からの照明光反射が減少して、網膜５３をより良好な状態で観察することができ、また、角膜表面５１に対する圧接力等が分散されるので、角膜表面５１を傷つける可能性も低くなる等の効果が生じる。
【符号の説明】
【００２７】
１  観察窓
２  先端本体
２ａ  先端面
２ｂ  後端面
３  対物光学系
４  撮像装置
５  貫通孔
７  保持管
８  ライトガイドファイババンドル（ライトガイドファイバ）
８ａ  射出端面
９  遮光筒体
５１  角膜表面
５２  水晶体
５３  網膜
【図１】
2013202100.tif 000003
【図２】
2013202100.tif 000004
【図３】
2013202100.tif 000005
【図４】
2013202100.tif 000006